(57)【特許請求の範囲】
【請求項１】
被写体像を電子画像信号に変換する撮像手段と、
前記撮像手段を介して撮影した電子画像を記録媒体に記録する記録手段と、
前記撮像手段を介して取得される電子画像、もしくは前記記録媒体に記録された電子画像を表示する表示手段と、
前記撮像手段及び前記表示手段を支持するとともに、これら手段を撮影者の身体に装着させるための装着手段と、
撮影者の腕から先の手の動きを検出する動作検出手段と、を備えた電子カメラシステムであって、
前記動作検出手段で検出した腕の動きが肩の位置付近で行われたと判断したときに、前記動作検出手段で検出された身体動作に関連付けられているコマンドを実行して当該電子カメラシステムの動作を制御する制御手段を備えていることを特徴とする電子カメラシステム。
【請求項２】
被写体像を電子画像信号に変換する撮像手段と、
前記撮像手段を介して撮影した電子画像を記録媒体に記録する記録手段と、
前記撮像手段を介して取得される電子画像、もしくは前記記録媒体に記録された電子画像を表示する表示手段と、
前記撮像手段及び前記表示手段を支持するとともに、これら手段を撮影者の身体に装着させるための装着手段と、
撮影者の手首から先の手の動きを検出する第１の動作検出手段と、
撮影者の腕の動きを検出する第２の動作検出手段と、を備えた電子カメラシステムであって、
前記第１の動作検出手段で検出した手の動きと、前記第２の動作検出手段で検出した腕の動きとの組み合わせからなる身体動作に関連付けられているコマンドに基づいて当該電子カメラシステムの動作を制御する制御手段を備え、
前記第２の動作検出手段で検出した腕の動きが肩の位置付近で行われたと判断したときに、前記コマンドに対応する動作を実行することを特徴とする電子カメラシステム。
【請求項３】
前記動作検出手段によって検出された前記身体動作に関連付けられているコマンドの制御内容を前記表示手段に表示させ、当該表示された制御内容について実行指示の入力後に、当該表示に係る制御内容を実行することを特徴とする請求項１記載の電子カメラシステム。
【請求項４】
前記第１及び第２の動作検出手段によって検出された前記身体動作に関連付けられているコマンドの制御内容を前記表示手段に表示させ、当該表示された制御内容について実行指示の入力後に、当該表示に係る制御内容を実行することを特徴とする請求項２記載の電子カメラシステム。
【請求項５】
前記コマンドは、指の折り曲げによるビット表現の連続する一連の動作で定義されることを特徴とする請求項１乃至４の何れか１項に記載の電子カメラシステム。
【請求項６】
前記コマンドは、撮影開始の指示、ズームアップ、ズームダウン、記録モードと再生モードの切り替え、撮影動作のモードの切り替え、のうち何れかを示すものであることを特徴とする請求項１乃至５の何れか１項に記載の電子カメラシステム。
【請求項７】
被写体像を電子画像信号に変換する撮像手段と、
前記撮像手段を介して撮影した電子画像を記録媒体に記録する記録手段と、
前記撮像手段を介して取得される電子画像、もしくは前記記録媒体に記録された電子画像を表示する表示手段と、
前記撮像手段及び前記表示手段を支持するとともに、これら手段を撮影者の身体に装着させるための装着手段と、を備えた電子カメラシステムの制御方法であって、
撮影者の腕から先の手の動きを検出し、
前記検出した腕の動きが肩の位置付近で行われたと判断したときに、該検出された身体動作に関連付けられているコマンドを実行して当該電子カメラシステムの動作を制御することを特徴とする電子カメラシステムの制御方法。
【請求項８】
被写体像を電子画像信号に変換する撮像手段と、
前記撮像手段を介して撮影した電子画像を記録媒体に記録する記録手段と、
前記撮像手段を介して取得される電子画像、もしくは前記記録媒体に記録された電子画像を表示する表示手段と、
前記撮像手段及び前記表示手段を支持するとともに、これら手段を撮影者の身体に装着させるための装着手段と、
を備えた電子カメラシステムの制御方法であって、
撮影者の手首から先の手の動きを検出する第１の動作検出を行い、
撮影者の腕の動きを検出する第２の動作検出を行い、
前記第１の動作検出により検出した手の動きと、前記第２の動作検出により検出した腕の動きとの組み合わせからなる身体動作に関連付けられているコマンドに基づいて当該電子カメラシステムの動作を制御し、かつ前記第２の動作検出で検出した腕の動きが肩の位置付近で行われたと判断したときに、前記コマンドに対応する動作を実行することを特徴とする電子カメラシステムの制御方法。
【請求項９】
前記検出された前記身体動作に関連付けられているコマンドの制御内容を前記表示手段に表示し、当該表示された制御内容について実行指示の入力を行った後に、当該表示に係る制御内容を実行することを特徴とする請求項７記載の電子カメラシステムの制御方法。
【請求項１０】
前記第１及び第２の動作検出によって検出された前記身体動作に関連付けられているコマンドの制御内容を前記表示手段に表示し、当該表示された制御内容について実行指示の入力を行った後に、当該表示に係る制御内容を実行することを特徴とする請求項８記載の電子カメラシステムの制御方法。
【請求項１１】
前記コマンドは、指の折り曲げによるビット表現の連続する一連の動作で定義されることを特徴とする請求項７乃至１０の何れか１項に記載の電子カメラシステムの制御方法。
【請求項１２】
前記コマンドは、撮影開始の指示、ズームアップ、ズームダウン、記録モードと再生モードの切り替え、撮影動作のモードの切り替え、のうち何れかを示すものであることを特徴とする請求項７乃至１１の何れか１項に記載の電子カメラシステムの制御方法。
【発明の詳細な説明】
【０００１】
【発明の属する技術分野】
本発明は電子カメラシステムに係り、特にカメラを撮影者の身体に固定する手段を有し、撮影者が手でカメラを保持することなく撮影を行うことができるハンズフリーの電子カメラシステム及びその制御方法に関する。
【０００２】
【従来の技術】
一般にカメラで撮影を行う場合、撮影者はカメラを手で把持してカメラを被写体に向けて構える。そして、ファインダーを通して構図の確認を行い、構図が決まった後にレリーズスイッチ等を指で押して画像を記録媒体に記録させるというのが通常の操作手順である。
【０００３】
これに対し、近年、手に持つ必要のないカメラが提案されている。例えば、特開平７−１９９２８１号公報は、カメラを電動雲台に載せて撮影者の肩の近くに取り付け、撮影者の顔の向く方向に雲台を自動制御することにより、撮影者が見ているものをそのまま撮影する技術が開示されている。また、特開平６−１４１３０８号公報は、ヘッドセットにカメラ部とディスプレイ部を設けたヘッドフォンタイプのテレビ電話が開示され、これを利用者の頭部に装着することにより、利用者は他の作業を行いながら映像と音声をリアルタイムで通信する技術が提案されている。
【０００４】
【発明が解決しようとする課題】
しかしながら、上記各公報に開示された技術は、カメラを操作するための手段についてワイヤード（有線接続タイプ）又はワイヤレス（非接触通信接続タイプ）のリモコンが用いられており、せっかく手が自由になったにもかかわらず、代わりにリモコン装置を手に持たなければならないという欠点がある。
【０００５】
ところで、別の文献である特開平７−２４８８７３号公報には、人体の筋電流を用いて手の動きを検出し、この検出に基づいて機器を制御する技術が開示されているが、同公報で具体的に対象としているものはワードプロセッサやビデオディスであって、カメラの制御については言及されていない。また、この公報では、指の動作と、手を握る動作とを組み合わせて手のジェスチャーに多様な命令（コマンド）を割り当てているが、撮影者が意図しない普段の何気ない動作でそのコマンドを実行してしまうおそれがある。
【０００６】
本発明はこのような事情に鑑みてなされたもので、撮影者が手に何も持つ必要がなく、カメラをコントロールすることができる電子カメラシステム及びその制御方法を提供することを目的とする。
【０００７】
【課題を解決するための手段】
前記目的を達成するために本発明に係る電子カメラシステムは、被写体像を電子画像信号に変換する撮像手段と、前記撮像手段を介して撮影した電子画像を記録媒体に記録する記録手段と、前記撮像手段を介して取得される電子画像、もしくは前記記録媒体に記録された電子画像を表示する表示手段と、前記撮像手段及び前記表示手段を支持するとともに、これら手段を撮影者の身体に装着させるための装着手段と、撮影者の腕から先の手の動きを検出する動作検出手段と、を備えた電子カメラシステムであって、前記動作検出手段で検出した腕の動きが肩の位置付近で行われたと判断したときに、前記動作検出手段で検出された身体動作に関連付けられているコマンドを実行して当該電子カメラシステムの動作を制御する制御手段を備えていることを特徴としている。
また、本発明による他の電子カメラシステムは、被写体像を電子画像信号に変換する撮像手段と、前記撮像手段を介して撮影した電子画像を記録媒体に記録する記録手段と、前記撮像手段を介して取得される電子画像、もしくは前記記録媒体に記録された電子画像を表示する表示手段と、前記撮像手段及び前記表示手段を支持するとともに、これら手段を撮影者の身体に装着させるための装着手段と、撮影者の手首から先の手の動きを検出する第１の動作検出手段と、撮影者の腕の動きを検出する第２の動作検出手段と、を備えた電子カメラシステムであって、前記第１の動作検出手段で検出した手の動きと、前記第２の動作検出手段で検出した腕の動きとの組み合わせからなる身体動作に関連付けられているコマンドに基づいて当該電子カメラシステムの動作を制御する制御手段を備え、前記第２の動作検出手段で検出した腕の動きが肩の位置付近で行われたと判断したときに、前記コマンドに対応する動作を実行することを特徴としている。
【０００８】
本発明によれば、撮像手段と表示手段は装着手段を介して撮影者の身体に固定されるので、撮影者は撮像手段や映像表示用の表示手段を手に持つ必要がない。撮影開始指示など撮影の制御指令（コマンド）と撮影者の手の動きとを予め関連付けておくことによって、撮影者は所定の約束に従って手を動かすだけで、その手の動きが検出手段で検出され、制御手段は当該手の動きに定義づけられているコマンドによって撮影動作を制御する。こうして、撮影者は手に何も持たずにカメラを制御することができる。
【０００９】
前記検出手段の具体的態様として、撮影者の筋電信号を検出する信号検出部を備えるとともに、撮影者の手首又は腕に装着される形態を有する検出手段を用いることができる。
また、本発明の電子カメラシステムにおいて、撮影者の腕の動きを検出するための第２の検出手段が付加され、前記制御手段は前記第２の検出手段が検出する腕の動きと、前記検出手段が検出する手の動きとの組み合わせからなる身体動作に基づいて前記撮像手段による撮影動作を制御する態様が望ましい。
【００１０】
かかる態様のように、腕の動きと手首から先の手の動きとを組み合わせることにより、撮影者が意図しない手の動作による誤動作を回避することができる。
【００１２】
【発明の実施の形態】
以下添付図面に従って本発明に係る電子カメラシステム及びその制御方法の好ましい実施の形態について説明する。
図１は本発明の一実施の形態を示す電子カメラ本体の斜視図である。この電子カメラ本体１０は、眼鏡型のフレーム（装着手段に相当）１２に、カメラ部１４とディスプレイ部１６が設けられている。カメラ部１４は撮影レンズ１８を有し、撮影レンズ１８の後方には図示せぬＣＣＤ等の撮像デバイス（撮像手段に相当）が配置されている。また、カメラ部１４には、撮像デバイスから読み出される信号の処理回路やメモリ、中央演算処理装置（ＣＰＵ）、並びに後述のリモコン装置（図２に示す）と通信するための制御信号受信部などが収納されている。
【００１３】
カメラ部１４は、図１において眼鏡型フレーム１２の右側のつる部に沿って取り付けられており、当該フレーム１２を撮影者が眼鏡をかけるように装着した際にカメラ部１４が撮影者の左側頭部に配置され、撮影レンズ１８の光軸が撮影者の視線と略同じ方向を向くようになっている。
なお、カメラ部１４を固定する場所は図１の例に限らず、図１上でフレーム１２の左側のつる部に沿って取り付けてもよいし、フレーム１２の正面中央部でもよい。また、撮影レンズ１８の光軸を調整できるように、角度調整自在なジョイント（不図示）機構を設けてもよい。
【００１４】
ディスプレイ部（表示手段に相当）１６は、液晶表示パネル２０とバックカバー２２とから構成されており、当該眼鏡型フレーム１２を装着する者の左眼の前方視野を覆うように眼鏡型フレーム１２の左眼レンズ部に取り付けられている。なお、カメラ部１４及びディスプレイ部１６をフレーム１２に着脱自在な構造とし、通常の眼鏡に取り付けてもよいし、眼鏡型のフレーム１２にカメラ部１４とディスプレイ部１６を固設した一体型のものとしてもよい。
【００１５】
図２は上述の電子カメラを操作するためのリモコン装置の外観図である。リモコン装置２４はリモコン本体２６とベルト部２８からなり、腕時計のように撮影者の手首に装着可能な形態を有している。ベルト部２８には、撮影者の筋肉の動きに伴う筋電信号を検出するための電極（以下、信号検出部という。）３０が設けられている。
【００１６】
リモコン本体２６は、前記信号検出部３０から得られる信号を増幅する信号増幅手段と、前記信号検出部３０で検出された信号に基づいて手、指、腕の動きを特定する動作検出手段と、特定された体の動きに定義づけられているカメラ制御指令（コマンド）に従ってカメラを制御する制御部と、その制御信号をカメラ部１４へ送出する送信部と、から構成される。なお、腕時計の代替として当該リモコン装置２４を身につけることを想定した場合、リモコン本体２６に時計としての計時機能を備える時計動作部を並設することが望ましい。リモコン本体２６の内部構造については図３において更に詳述する。
【００１７】
図３は本実施の形態に係る電子カメラシステムの構成を示すブロック図である。電子カメラ本体１０は、撮影レンズ１８、撮像デバイス３２、デバイス駆動回路３４、アナログ信号処理部３６、Ａ／Ｄ変換器３８、デジタル信号処理部４０、メモリ４２、圧縮／伸張回路４４、ディスプレイ部１６、内蔵メモリ（又はメモリカード）４６、ＣＰＵ４８、キースイッチ（操作入力部）５０、及び制御信号受信部５２から構成される。
【００１８】
撮影レンズ１８を介して撮像デバイス３２の受光面に結像された被写体像は、撮像デバイス３２において光電変換され、映像信号として順次読み出される。アナログ信号処理部３６はＣＤＳクランプ回路やゲイン調整回路等を含み、撮像デバイス３２から出力された信号はアナログ信号処理部３６において所定の処理が施された後、Ａ／Ｄ変換器３８によってデジタル信号に変換され、デジタル信号処理部４０へと加えられる。
【００１９】
デジタル信号処理部４０は、輝度信号生成回路、色差信号生成回路、及びガンマ補正回路等の画像処理回路を含み、ここでデジタル形式の電子画像データが生成される。そして、デジタル信号処理部４０でＹ／Ｃ信号処理された画像データはメモリ４２に一時蓄積される。
メモリ４２に記憶された画像データはデコードされてディスプレイ部１６へと供給される。こうして、カメラ部１４で捉えた映像がディスプレイ部１６に表示される。また、撮影開始指示信号（レリーズ信号）の受入に呼応して取得された画像データは、メモリ４２から圧縮／伸張回路４４に導かれ、ここで所定の形式（例えば、ＪＰＥＧ）に従って圧縮処理された後、内蔵メモリ（例えば、カメラ内蔵のフラッシュメモリ）４６に記録される。なお、記録媒体の形態は、これに限らず、超小型のメモリカードでもよい。
【００２０】
内蔵メモリ４６に保存した画像データはＣＰＵ４８を介して呼び出しが可能であり、呼び出された画像データは圧縮／伸張回路４４で再生処理された後、メモリ４２を介してディスプレイ部１６に出力され、または、図示せぬ通信部（外部出力部）を介して他の外部機器に出力される。
ＣＰＵ４８は、電子カメラ本体１０の各回路を統括・制御するもので、キースイッチ５０や制御信号受信部５２から入力される各種入力信号に基づいて、撮影者の意思を判別するとともに、ズーミング、フォーカシング等の撮影を行うためのレンズ１８の制御、デバイス駆動回路３４の制御、ディスプレイ部１６における表示制御、内蔵メモリ４６への画像データの書き込み／読み出し制御等を行う。
【００２１】
すなわち、この電子カメラ本体１０は、公知の自動露出調整（ＡＥ）機能及びオートフォーカス（ＡＦ）機能を具備しており、撮影レンズ１８が被写体に向けられるだけで、最適な露出調整及びピント合わせが自動的に行われる。
一方、リモコン装置２４は、信号検出部３０、信号処理部５４、ＣＰＵ５６（制御手段に相当）、制御信号送信部５８、及び時計部６０からなる。信号処理部５４は、信号増幅回路を含み、信号検出部３０で検出された微弱な筋電信号を増幅した後に、これをＡ／Ｄ変換してＣＰＵ５６に加える。
【００２２】
人体の皮膚表面で観測される筋電信号を検出して、この筋電信号を体の各部の動きに対応づける技術は公知の技術である（特開平７−２４８８７３号公報等）。ＣＰＵ５６の内部メモリには、筋電信号と人体の筋肉の動きとの関係を規定するデータが予め格納されているとともに、手、指、腕の所定の動きに対してカメラ制御の指令（コマンド）が割り当てられ、その対応関係を定めたデータが格納されている。
【００２３】
そして、ＣＰＵ５６は信号検出部３０を介して検出された撮影者の手や腕の動きに対応するコマンドに従ってカメラの動作を制御する制御信号を出力する。この制御信号は制御信号送信部５８から所定の信号形態（例えば、赤外線通信方式）に従って発信され、電子カメラ本体１０の制御信号受信部５２によって受信される。
【００２４】
ところで、上述のようなリモコン装置２４でカメラを制御しようとする場合、次のような問題が生じる。すなわち、リモコン装置２４を装着した腕及び手首の動作にカメラ制御のコマンドを割り当てた場合、撮影者が意図しない普段の何気ない動作でコマンドを実行してしまうおそれがある。その一方、かかる誤動作を防止しようとして、普段の動作には含まれない複雑な動作にコマンドを関連付けると撮影者が操作しにくくなる。
【００２５】
そこで、本システムでは、手首から先の手の動きと、二の腕の動きとを組み合わせた動作（ジェスチャー）にコマンドが割り当てられている。これは、普段、腕を肩の高さまであげて動作することは少なく、たいていは肩の下で手を動かしているという事実に着眼したものである。腕を肩の位置付近まであげて動作するときは意識的な動作が多く、無意識にこのあたりまで手を上げることは少ない。したがって、手首から先の手の動きだけでなく、腕の動きを検出してこれらを組み合わせた動作に対してコマンドを割り当てることにより、撮影者が意図しない無意識の動作によるコマンドの発令（誤動作）を防止することができる。
【００２６】
更に、上述のジェスチャー検出に伴うコマンドの確認をとるために、検出されたコマンドの内容をディスプレイ部１６に表示するものとし、その表示を撮影者が確認して更に実行指示を与えることを条件にコマンドが実行に移されるように構成されている。但し、撮影開始信号については、このような２段階入力を行うとシャッターチャンスを逃してしまうので、かかる確認表示及び実行指示の入力は省略される。
【００２７】
図２に示したリモコン装置を撮影者の手首に装着することによっても、撮影者の腕の動きに伴う筋電流の測定は可能であるが、別途、二の腕の筋電流を測定するための第２のリモコン装置を用いてもよい。この場合、リモコン部は図４に示すような２ブロック構成となる。
即ち、手首から先の手の動きに伴う筋電流を検出するための第１のリモコン装置６４と、二の腕の動きに伴う筋電流を検出するための第２のリモコン装置６５の２つのリモコン装置６４、６５によって電子カメラ本体１０が制御される。
【００２８】
第１のリモコン装置６４は図２及び図３で説明したリモコン装置２４と略同等の構成に加えて、第２のリモコン装置６５との通信を行うための信号受信部６７が設けられている。一方、第２のリモコン装置６５は、筋電流を検出する信号検出部６８、信号処理部７０、信号送信部７２から構成される。信号検出部６８で検出された筋電信号は信号処理部７０において増幅され、信号送信部７２から第１のリモコン装置６４へと送信される。
【００２９】
信号送信部７２から送出された信号は第１のリモコン装置６４の信号受信部６７で受信され、その信号はＣＰＵ５６へと入力される。
ＣＰＵ５６は、第２のリモコン装置６５から受入した検出信号（二の腕の筋電信号）と、信号検出部３０で検出した手首から先の動きに対応した筋電信号と、に基づいて撮影者の動作を特定するとともに、これに関連付けられているコマンドを特定して、カメラ制御信号を出力する。そして、この制御信号は制御信号送信部５８から所定の信号フォーマットに従って送信される。
【００３０】
次に、ジェスチャーとコマンドの対応付けの例を説明する。
すでに説明したように、撮影者の動作としては、腕を肩の高さまで上げていることを条件に、更に手首から先の手の動きを検出することが望ましい。例えば、人指し指を手の握りのなかに押し込む動作を撮影開始指示（シャッターレリーズ）のコマンドに対応付ける。
【００３１】
また、親指を立てる向きの上／下をそれぞれズームアップとズームダウンのコマンドに割り当てる。同様にして、ある特定の動作をモード選択や、ＡＦロック、ＡＥロックなどのコマンドに割り当てることができる。
中指、薬指、小指の別で３ビットの情報を割り当てられるので、どの指を折りまげるかによって、異なるコマンドを定義付けることができる。しかし、薬指と小指を素早く同時に動かすことが困難な人が多いので実際に割り当てることができるコマンドは４動作程度ということになる。
【００３２】
電子カメラにおけるモード切替の内容としては、例えば、記録モードと再生モードの切り替え、撮影動作の切り替え（スポーツモード、ポートレートモード）なども考えられるので、多機能実現のためには前記４動作では足りない。その場合は、手の動きを複数パターン組み合わせて、連続する一連の動作に対してコマンドを定義すればよい。
【００３３】
信号検出部３０、６８による筋電信号検出に基づいて撮影者の手の動きがどのように認識されているかは、ディスプレイ部１６に表示されるので、誤認識時はキャンセルすることも必要である。コマンドのキャンセル指示については、手首全体を横に振るなど明確な動作が割り当てられることが望ましい。
上記の如く構成された電子カメラシステムの作用は次の通りである。
【００３４】
撮影者は図１に示した電子カメラ本体１０を眼鏡のごとく頭部に装着するとともに、図２に示したリモコン装置２４を腕時計のごとく手首に装着する。なお、図４で説明したように、リモコン部が２ブロック構成からなる場合は、一方のリモコン装置６４を手首に、他方のリモコン装置６５を腕にそれぞれ装着する。眼鏡型フレーム１２が撮影者の耳と鼻とで支えられることにより、カメラ部１４の撮影レンズ１８は撮影者の顔の向きと同じ方向に向けられる。
【００３５】
電子カメラ本体１０の電源をＯＮすると、カメラ部１４を介して撮影された映像がディスプレイ部１６に映し出される。撮影者は左眼でディスプレイ部１６の表示を観察することができ、カメラ部１４が捉える映像やカメラ制御コマンドなどを確認することができる。
撮影開始（レリーズ）の指示やズーミング操作等のカメラ制御コマンドは、手首から先の手や指の動き、及び二の腕の動きの組み合わせ動作に定義付けられているので、撮影者はその約束に従って腕と手を動かして指示を与える。かかる撮影者の動作はリモコン装置２４（又はリモコン装置６４、６５）の信号検出部３０（及び６８）で検出され、当該動作（ジェスチャー）に関連付けられているコマンドによってカメラが制御される。このように、本実施の形態によれば、撮影者は手に何も持つ必要がなく、カメラを自由にコントロールすることができる。
【００３６】
上述の実施の形態では、装着手段として眼鏡型のフレーム１２を例に述べたが、装着手段の具体的形態はこれに限らず、帽子型の形態やヘッドセット型の形態も可能である。リモコン装置についても図２で説明したような腕時計型に限らず、指輪型などの形態も可能である。
また、上記実施の形態では、静止画を記録するデジタルカメラを例に説明したが、動画記録用のカメラ（ムービー）にも本発明を適用することができる。その動作制御は上述の例と略同等である。
【００３７】
本実施の形態の変形例として、リモコン装置２４、６４、６５の他にも、筋電流センサ等の検出手段（第３の検出手段に相当）を撮影者の身体に適当な固定手段を介して装着可能な構成とし、該センサによって撮影者の心電図や血圧その他の撮影者の身体機能や活動状態を監視して、その情報をカメラの画像記録部（例えば、内蔵メモリ４６）に記録するようにしてもよい。かかる態様によって、心電図などの情報が常時、又は定期的に記録され、撮影者の健康管理等にも役立てることができる。
【００３８】
例えば、心臓疾患を抱えている人がこのような心電図記録兼用電子カメラを携帯すると、前記センサによって身体の異常が検出された時にディスプレイ部１６を介してその旨の警告を受け取ることができる。また、万一、発作等で倒れた場合、救急の医師がその心電図の情報を再生することにより、どのような発作を起こしたのかを直ぐに知ることができ、迅速な救命処置をとることができる。
【００３９】
もちろん、心電図に限らず、血圧、体温、呼吸数、歩数などの情報を記録してもよい。
【００４０】
【発明の効果】
以上説明したように本発明に係る電子カメラシステムによれば、撮像手段と表示手段を装着手段によって撮影者の身体に固定し、撮影者の手の動きを検出するることによって撮影動作を制御するようにしたので、撮影者は手に何も持たずにカメラを制御することができる。
【００４１】
特に、腕の動きと手首から先の手の動きとを組み合わせた動作に対してコマンドを割り当てるようにしたので、撮影者が意図しない手の動作による誤動作を回避することができる。
【図面の簡単な説明】
【図１】本発明の一実施の形態を示す電子カメラ本体の斜視図
【図２】図１の電子カメラを操作するためのリモコン装置の外観図
【図３】本実施の形態に係る電子カメラシステムの構成を示すブロック図
【図４】リモコン装置を２ブロック構成とした例を示すブロック図
【符号の説明】
１０…電子カメラ本体
１２…フレーム（装着手段）
１４…カメラ部（撮像手段）
１６…ディスプレイ部（表示手段）
１８…撮影レンズ
２４、６４、６５…リモコン装置
２８…ベルト部
３０…信号検出部（検出手段）
４６…内蔵メモリ（情報記録部）
４８…ＣＰＵ（制御手段）
【図１】
0004006856.tif 000002
【図２】
0004006856.tif 000003
【図３】
0004006856.tif 000004
【図４】
0004006856.tif 000005